(57)【要約】      （修正有）【課題】超高速運転時であっても実質上ミスチングを解消するオフセット平版印刷機、及びオフセット平版印刷機の性能の改善方法を提供する。また、高速運転時における印刷版でのインキの流出及び欠乏も実質上解消されるオフセット平版印刷機、及びオフセット平版印刷機の性能の改善方法を提供する。【解決手段】オフセット平版印刷機のインキ装置は、異なる速度で稼動する所定のローラーを含む。硬質ローラー２２は振動せず、インキ付けローラー２０及び軟質のトランスファローラー２８は縦方向に振動する。【選択図】図１
2008055897.tif 000002
【特許請求の範囲】
【請求項１】
ある版胴表面速度で回転する版胴と、
前記版胴に係合する複数のインキ付けローラーと、
前記インキ付けローラーを確実に駆動し、前記版胴の表面速度と実質的に等しい表面速度で確実に回転させるインキ付けローラー駆動機構と、
前記インキ付けローラーと接触し、前記版胴から離れて配置される第一の硬質ローラーと、
前記第一の硬質ローラーを前記インキ付けローラー及び前記版胴の表面速度よりも遅い表面速度で確実に駆動する第一の硬質ローラー駆動機構と、
を備えるオフセット平版印刷機。
【請求項２】
前記第一の硬質ローラーが、前記インキ付けローラーの表面速度より約３％〜７５％減速した表面速度で確実に駆動されることを特徴とする請求項１記載のオフセット平版印刷機。
【請求項３】
前記第一の硬質ローラーと作用的に関連付けられ、インキ供給部から前記第一の硬質ローラーへインキを運ぶために前記第一の硬質ローラーと前記インキ供給部との間に配置される第二の硬質ローラーと、
前記第二の硬質ローラーを前記第一の硬質ローラー及び版胴の表面速度よりも遅い表面速度で駆動する第二の硬質ローラー駆動機構と、
をさらに備えることを特徴とする請求項１記載のオフセット平版印刷機。
【請求項４】
前記第二の硬質ローラーが、前記第一の硬質ローラーの表面速度の約１０％〜約９５％の表面速度で確実に駆動されることを特徴とする請求項３記載のオフセット平版印刷機。
【請求項５】
前記第一の硬質ローラー及び前記第二の硬質ローラーの間に配置される摩擦駆動のインキトランスファローラーをさらに備えることを特徴とする請求項３記載のオフセット平版印刷機。
【請求項６】
隣接する前記第二の硬質ローラーの間に配置される摩擦駆動のトランスファローラーをさらに備えることを特徴とする請求項５記載のオフセット平版印刷機。
【請求項７】
前記第一の硬質ローラー及び前記第二の硬質ローラーは振動せず、少なくとも前記トランスファローラーのいくつかを、前記第一の硬質ローラー、前記第二の硬質ローラー及び前記版胴に対して縦方向に振動させる振動機構をさらに備えることを特徴とする請求項６記載のオフセット平版印刷機。
【請求項８】
前記第一の硬質ローラー及び前記第二の硬質ローラーは振動せず、少なくとも前記インキ付けローラーのいくつかを、前記第一の硬質ローラー、前記第二の硬質ローラー及び前記版胴に対して縦方向に振動させる振動機構をさらに備えることを特徴とする請求項６記載のオフセット平版印刷機。
【請求項９】
前記第一の硬質ローラー及び前記第二の硬質ローラーは振動せず、少なくとも前記トランスファローラーのいくつかと前記インキ付けローラーのいくつかを、前記第一の硬質ローラー、前記第二の硬質ローラー及び前記版胴に対して縦方向に振動させる振動機構をさらに備えることを特徴とする請求項６記載のオフセット平版印刷機。
【請求項１０】
前記インキ付けローラー及び前記トランスファローラーのすべてが前記振動機構により振動させられることを特徴とする請求項９記載のオフセット平版印刷機。
【請求項１１】
回転する版胴と、
前記版胴に係合し、前記版胴に対して縦方向に振動する複数のインキ付けローラーと、
インキ源と、
前記インキ付けローラーと前記インキ源との間に配置され、回転しかつ振動しない複数の硬質ローラーと、
を備えるオフセット平版印刷機。
【請求項１２】
前記インキ源から前記版胴へインキを運ぶために前記硬質ローラー及び前記インキ付けローラーと作用的に関連付けられた複数のインキトランスファローラーをさらに備え、
前記インキトランスファローラーが前記硬質ローラー及び前記版胴に対して縦方向に振動することを特徴とする請求項１１記載のオフセット平版印刷機。
【請求項１３】
回転する版胴と、
前記版胴に係合し、回転可能な複数のインキ付けローラーと、
前記インキ付けローラーと接触する回転可能な第一の硬質ローラーとを備えるオフセット平版印刷機の性能改善方法であって、
前記インキ付けローラーを前記版胴の表面速度と実質的に等しい表面速度で確実に駆動する工程と、
前記第一の硬質ローラーを前記インキ付けローラー及び前記版胴の表面速度よりも遅い表面速度で確実に駆動する工程と、
を備えることを特徴とするオフセット平版印刷機の性能改善方法。
【請求項１４】
前記第一の硬質ローラーが、前記インキ付けローラーの表面速度より約３％〜７５％減速した表面速度で確実に駆動されることを特徴とする請求項１３記載のオフセット平版印刷機の性能改善方法。
【請求項１５】
前記オフセット平版印刷機はさらに、
前記第一の硬質ローラーと作用的に関連付けられた第二の硬質ローラーと、
インキ供給部から前記第一の硬質ローラーへインキを運ぶためのインキ供給部と、
を備え、
前記第二の硬質ローラーを前記第一の硬質ローラーの表面速度よりも遅い表面速度で駆動する工程を備えることを特徴とする請求項１３記載のオフセット平版印刷機の改善方法。
【請求項１６】
前記第二の硬質ローラーが、前記第一の硬質ローラーの表面速度の約１０％〜約９５％の表面速度で確実に駆動されることを特徴とする請求項１５記載のオフセット平版印刷機の改善方法。
【請求項１７】
前記オフセット平版印刷機はさらに、摩擦駆動の複数のインキトランスファローラーを備え、
前記第一の硬質ローラー及び前記第二の硬質ローラーの振動を防ぐ工程と、
少なくとも前記インキトランスファローラーのいくつかを、前記第一の硬質ローラー、前記第二の硬質ローラー及び前記版胴に対して縦方向に振動させる工程と、
を備えることを特徴とする請求項１５記載のオフセット平版印刷機の改善方法。
【請求項１８】
前記第一の硬質ローラー及び前記第二の硬質ローラーの振動を防ぐ工程と、
少なくとも前記インキ付けローラーのいくつかを、前記第一の硬質ローラー、前記第二の硬質ローラー及び前記版胴に対して縦方向に振動させる工程と、
を備えることを特徴とする請求項１５記載のオフセット平版印刷機の改善方法。
【請求項１９】
オフセット平版印刷機の版胴を回転させる工程と、
前記オフセット平版印刷機のインキ付けローラーと前記版胴とが係合している間に、前記インキ付けローラーを前記版胴に対して縦方向に振動させる工程と、
回転可能でかつ振動しない、オフセット平版印刷機の硬質ローラーを前記振動するインキ付けローラーと係合状態に維持する工程と、
を備えるオフセット平版印刷方法。
【請求項２０】
前記オフセット平版印刷機は、前記版胴へインキを運ぶために、前記硬質ローラー及び前記インキ付けローラーと作用的に関連付けられた複数のインキトランスファローラーを備え、
前記インキトランスファローラーを前記硬質ローラー及び前記版胴に対して縦方向に振動させる工程を備えることを特徴とする請求項１９記載のオフセット平版印刷方法。
【発明の詳細な説明】
【技術分野】
【０００１】
本願発明はオフセット平版印刷の分野に関し、さらに詳しく言えば、オフセット平版印刷機、及びオフセット平版印刷機の性能の改善方法に関する。
【背景技術】
【０００２】
平版印刷機の動作は水とインキの相互作用を伴い、２０世紀初頭にオフセット平版印刷が発明されて以来、平版印刷工程のインキングシステムはどんな基本的な方法においても変わっていない。
【０００３】
オフセット平版印刷に用いられる従来のインキングシステムは、一般的に一連のローラーを備え、このローラーがインキ源から、印刷されるべき画像を担持する回転可能な版胴までインキを運ぶ。湿し水装置が、版胴と共に用いられて水を版胴へ運ぶ。
従来のオフセット平版印刷機のインキ装置は、異なる種類のローラーを組込んでいる。複数のインキ付けローラーがこの間に配置され、回転している版胴と係合し、これによって摩擦駆動される。インキ付けローラーと係合する硬質ローラーは縦方向に振動させられる。硬質ローラー、版胴及びインキ付けローラーの表面速度はともに等しい。
典型的なインキ装置は、インキ源から版胴に係合する軟質ゴムのインキ付けローラーへインキを運ぶために、第一の振動する硬質ローラーセットと第二の振動する硬質ローラーセットの間に位置するトランスファローラーと作用的に関連付けられた、振動する第二の硬質ローラーのセットも備える。すべてのトランスファローラーは摩擦駆動であり、振動する硬質ローラー、トランスファローラー、インキ付けローラーを含むインキ装置内のすべてのローラーは表面速度が等しい。すべての振動する硬質ローラーの縦方向の揺れがインキの配給を促進させる。
【０００４】
従来のオフセット平版印刷機は、高速運転時に問題を来たす。従来のオフセット平版印刷機のインキングローラーは、例えば、直径７６．２ｍｍ（３インチ）で最大３，５００rpmまたは１４．０２０８ｍ/ｓ（毎秒４６フィート）の表面速度で回転する。
以下詳細に説明するが、直面する問題の１つは、微細なインキの球が飛散するミスチングである。望ましくない副次的作用は、印刷版上でインキが流出し、インキが欠乏してしまうことである。
【発明の開示】
【発明が解決しようとする課題】
【０００５】
本願発明は、超高速運転時であっても実質上ミスチングを解消するオフセット平版印刷機、及びオフセット平版印刷機の性能の改善方法に関する。高速運転時における印刷版でのインキの流出及び欠乏もまた実質上解消される。
【課題を解決するための手段】
【０００６】
本願発明に係るオフセット平版印刷機は、ある版胴表面速度で回転する版胴を備える。複数のインキ付けローラーは版胴と係合する。
インキ付けローラーの駆動機構が、複数のインキ付けローラーを確実に駆動し、インキ付けローラーを版胴の表面速度と実質的に等しい表面速度で回転させるために設けられる。
第一の硬質ローラーが、版胴から間隔をあけて配置され、インキ付けローラーと接触する。第一の硬質ローラーの駆動機構は、第一の硬質ローラーをインキ付けローラーや版胴の表面速度よりもゆっくりとした表面速度で確実に駆動する。
【０００７】
本願発明の別の側面は、オフセット平版印刷機のインキ装置の硬質ローラーが振動しないということである。その代わりに、トランスファローラー及びインキ付けローラーは縦方向に振動させられ、非常に効率的なインキ配給をする。
本願発明に係る方法は、回転する版胴、その版胴に係合する複数の回転可能なインキ付けローラー、及びそのインキ付けローラーと接触する回転可能な第一の硬質ローラーを備えるオフセット平版印刷機の性能改善のためのものである。
インキ付けローラーは、版胴の表面速度と実質的に等しい表面速度で確実に駆動され、第一の硬質ローラーは、インキ付けローラー及び版胴の表面速度よりもゆっくりとした表面速度で確実に駆動される。
さらに、第一の硬質ローラーの振動は防止され、インキ付けローラー及びトランスファローラーは縦方向に振動する。
本願発明の他の特徴、利点及び目的は、以下の記載及び添付図面から明らかになるであろう。
【発明を実施するための最良の形態】
【０００８】
図１は、オフセット平版印刷機に用いられる典型的な従来技術であるインキングシステムを示しており、オフセット平版印刷機は、画像を担持する回転する版胴１０と、紙にインキを転写するブランケット胴１２と、ブランケット胴からインキを受取る紙を運ぶ圧胴１４とを備える。
オフセット平版印刷機はまた、インキつぼ１６とインキ出しローラー１８とを備えるインキ源も具備する。オフセット平版印刷機はまた、版胴１０の表面に水を供給するための湿し装置２０も具備する。
インキつぼ１６から版胴１０の外表面までインキを運ぶため、複数のローラーがインキ出しローラー１８（と版胴１０）の間に配置される。
これらのローラーは、版胴１０の外表面に係合する軟質ゴムのインキ付けローラー２０と、このインキ付けローラー２０と係合する対の第一の硬質ローラー２２とを含む。
付加的なローラーは、２つの第二の硬質ローラー２４と、１つの硬質トランスファローラー２６と、４つの軟質ゴムのトランスファローラー２８とを含む。枢動可能に取付けられるインキ移しローラー３０は、最上部にある第二の硬質ローラー２４に選択的にインキを塗るために用いられる。
【０００９】
以下から分かるように、図１に示される全体的な構成は、本願の教示を組み込んだオフセット平版印刷機と従来のものは同じである。
従来のオフセット平版印刷機において、ローラー２０，２２，２４，２６，２８はすべて、回転可能に駆動される版胴１０の表面速度と同じ表面速度で動く。また、硬質ローラー２２，２４は歯車駆動であり、版胴１０の表面速度と同じ表面速度で動く。インキ付けローラー２０は、第一の硬質ローラー２２と版胴１０により摩擦駆動される。トランスファローラー２６，２８は第一及び第二の硬質ローラー２２，２４により摩擦駆動される。さらにまた、すべてのローラーは従来のオフセット平版印刷機における版胴と同じ表面速度を有する。
従来のオフセット平版印刷機において、第一及び第二の硬質ローラー２２，２４は、均等なインキ配給を促進するため、左右共に縦方向に振動する。
【００１０】
平易化のため、図５は、版胴１０及びローラー２０，２２，２４，２６，２８のみを示す。
上記した従来のオフセット平版印刷機のインキングシステムの使用は、高速運転時にミスチングや印刷版上のインキの流出及び欠乏を引き起こし得る。直径７６．２ｍｍ（３インチ）のインキングローラーが最大３，５００rpmまたは１４．０２０８ｍ/ｓ（毎秒４６フィート）の表面速度で回転されることは、珍しいことではない。
【００１１】
図２〜４は、図５の破線によって画される場所においてローラーが回転するとき、従来例の１つのインキ付けローラー２０と硬質振動ローラー２２の間で生じる作用の類型を示す。当然のことながら、これらの図面に示されるインキ上での作用は、インキ転移システム内の一対の隣接するローラー間で生じ得ることの典型例である。図２に示されるように、インキローラーはニップから離れて回転するので、インキローラーが比較的ゆっくりとした速度で操作されると、比較的滑らかに分裂する。
【００１２】
図３は、ローラーが相対的に中位の速度で操作されるとき、何が起こるかを示す。この状況では、インキ３２は分裂するにつれてキャビテーションを起こす。そして、気孔が壊れるにつれて、繊維状物３４が形成され、この繊維状物３４がインキ付けローラー２０と硬質振動ローラー２２上にとどまっている２つの部分に分裂する。しかしながら、これらのローラーが高速回転して離れると、図４に示すように、繊維状物３４は両端部がちぎれ、繊維状物３４の一部分が空気中に浮遊した状態となる。繊維状物３４の浮遊部分は粘性力により形状を変化させ、微細な球体３６となる。これらの球体３６が空気中に飛散して、ミスチングを引き起こす。微細なインキの粒子は印刷機の部品の表面を含めてさまざまな表面に堆積し、これを汚す。高速回転時において、インキの分裂は、ローラー上に特定の色の中で見ることができる粒状の上塗りも形成し得る。
【００１３】
本願発明の教示に従って構成されたオフセット平版印刷機は、図１と５に示されるのと同じ全体的なローラーの構成を備える。しかしながら、従来の印刷機の構成に関するミスチング及びその他の問題は、ローラーの速度及び他の操作上の特質に関する従来の処理に特定の修正を施すことよって取り除かれる。
【００１４】
本願発明の教示を利用すると、インキ付けローラー２０は、版胴１０の表面速度と同じ表面速度で確実に作動される。図６には、回転する版胴１０のシャフトに接続される駆動チェーン３８によって確実に回転可能に駆動されるインキ付けローラー２０のうちの１つが示される。その他３つのインキ付けローラーは、同様に正確に回転可能に駆動される。
第一の硬質ローラー２２は、動作上モーター４０に連結されている駆動チェーン４２により確実に駆動される。硬質ローラー２２は、インキ付けローラー２０及び版胴１０の表面速度よりもゆっくりとした表面速度で確実に駆動される。これらのローラー２２の減速は、例えばインキ付けローラー２０の表面速度の約３％〜約７５％の範囲内とすることができる。
本願発明の構成では、第二の硬質ローラー２４もまた、駆動チェーン４２により確実に駆動される。第二の硬質ローラーは、版胴１０の表面速度と比較してさらに表面速度が遅く、また、硬質ローラー２２よりも遅い。硬質ローラー２４の減速は、例えば約１０％〜約９５％の範囲内とすることができる。トランスファローラー２６，２８は隣接するローラーによって摩擦駆動される。
【００１５】
本願発明の他の特有の側面は、硬質ローラー２２，２４が従来のオフセット平版印刷機のように振動することがないことである。その代わりに、良好なインキの配給には振動が必要とされるので、４つのインキ付けローラー２０及び４つの軟質トランスファローラー２８を横方向に、例えば左右に約２５．４ｍｍ（１インチ）振動させるために、任意の適切な振動構造が用いられている。従来の印刷機ではこれらのローラーは振動しない。この手法は、４つのローラーの代わりに８つのローラーが振動するため、インキの均一でより良好な配給を実現する。
【００１６】
図７は、従来のオフセット印刷機に上述した修正を施した場合における、高速運転中でも平坦なインキの状態を示す。可変の速度減速を備えたインキ装置が、ミスチングを実質的に阻止する。インキの状態が改善され、滑らかなインキ層となり、流れ出ることもない。
本願発明の実施中は、インキ付けローラーを除いてすべてのローラーが減速し、従来の印刷機のものよりも非常に遅く動く。インキは広がり、分裂して繊維状物を形成することはない。これらの作用はともにミストが形成されるのを解消する。
実際、インキは広がり、繊維状物に沿って分裂しないので、滑らかなインキ表面が形成される。従来技術のように、インキの粒は形成されない。さらに、インキが広がって転移されることにより、インキ付けローラーからのインキの流出及び欠乏は解消される。より速い表面速度を有する、ニップを形成する一対のローラーからなるローラーは、速度の遅いローラーより多量のインキ、通常約１５％から２０％多くのインキを運ぶ。図７において、ニップがインキ付けローラー２０及び第一の硬質ローラー２２によって形成される。インキ付けローラー２０はより速い速度で作動しているので、より多量のインキがインキ付けローラーに加えられる。
【図面の簡単な説明】
【００１７】
【図１】図１は、インキ源と回転する版胴との間に配置される複数のローラーを含んでなるインキ装置を備える典型的なオフセット平版印刷機の構造の概略図である。
【図２】図２は、振動しない軟質ゴムのインキ付けローラーと関連して、典型的な従来のオフセット平版印刷機の構成に用いられる振動する硬質ローラーの一部分の拡大断面図であり、２つのローラーが低速でニップから離れて回転するときのインキの分裂を示す。
【図３】図３は、図２と似た図面であるが、インキが気孔を作り、その気孔が壊れる一方でインキの壊れた繊維状物がローラーに付いたままとなっているときに、何が中位のローラー速度で生じるかを示している。
【図４】図４は、図２及び３と似た図面であるが、ローラーが高速回転して離れて、インキが分裂し、インキの繊維状物が両端部において壊れ、その結果インキの繊維状物の一部がミスチングを形成すべく飛散する状態を示している。
【図５】図５は、オフセット平版印刷機のインキ装置のローラー及び版胴のみを示す概略図である。
【図６】本願発明の教示に従うローラーの一部分の正確な駆動及び縦方向の振動を示す、正面部分の概略図である。
【図７】図７は図２〜４に非常に似ているが、本願発明に係る装置及び方法を用いた場合、本願発明による修正により、ミスチングが起こらなくなり、インキの状態が滑らかになり、インキの流出が無くなるという結果がいかにして生じるのかを示す図である。
【図１】
2008055897.tif 000003
【図２】
2008055897.tif 000004
【図３】
2008055897.tif 000005
【図４】
2008055897.tif 000006
【図５】
2008055897.tif 000007
【図６】
2008055897.tif 000008
【図７】
2008055897.tif 000009